(57)【要約】【構成】  本発明は高度さらし粉またはさらし粉と塩化カルシウムを収めた容器の少なくとも一部がガス透過性を有するフィルムから構成され、このガス透過性フィルムを透して塩素を徐放せしめる塩素徐放具において、塩化カルシウム量の多い塩素徐放具Ａと塩化カルシウム量の少ない塩素徐放具Ｂを併用して水に浸漬することにより、水中の塩素濃度を長期間適度な濃度に保つものである。【効果】  ポリタンクのような大型容器で水道水を長期保存する場合、本発明の方法を用いると初期から水中の塩素濃度を適度に維持することが出来、その後も長期にわたって適度な塩素濃度を維持することが出来る。また本発明で用いる塩素徐放具は簡単な構造で安価に製造出来るため、経済的に有利な水の長期保存が可能である。【特許請求の範囲】
【請求項１】
少なくとも一部がガス透過性を有する無孔フィルムから構成されている容器に塩化カルシウムと高度さらし粉またはさらし粉を共存させた塩素徐放具であって、塩化カルシウムの含有量ａ（ｇ）が１≦ａ≦２０である徐放具Ａと、塩化カルシウムの含有量ｂ（ｇ）が０．０５≦ｂ≦１．５（ここでａ＞ｂである）である徐放具Ｂとをそれぞれ１種以上組み合わせて水中に浸漬することを特徴とする水の長期保存方法。
【請求項２】
塩素徐放具ＡおよびＢで用いるガス透過性無孔フィルムが低密度ポリエチレンまたはＬＬＤＰＥ（直鎖状低密度ポリエチレンフィルム）である請求項１記載の水の長期保存方法。
【請求項３】
塩素徐放具Ａの高度さらし粉またはさらし粉の含有量が保存する水１リットルに対し０．００４ｇ〜０．０４ｇの比率である請求項１および２記載の水の長期保存方法。
【請求項４】
塩素徐放具Ｂの高度さらし粉またはさらし粉含有量が０．０５ｇ〜０．８ｇである請求項１乃至３記載の水の長期保存方法。
【請求項５】
塩素徐放具Ａ、Ｂとともに、少なくとも一部がガス透過性を有する無孔フィルムから構成されている容器に塩化カルシウムを共存せしめない高度さらし粉またはさらし粉を収容する塩素徐放具Ｃを一つ以上、水中に浸漬することを特徴とする請求項１乃至４記載の水の長期保存方法。
【請求項６】
塩素徐放具Ｃの高度さらし粉またはさらし粉の重量が０．０５〜１．５ｇである請求項５記載の水の長期保存方法。
【請求項７】
塩素徐放具Ｃのガス透過性を有する無孔フィルムが厚さ２５〜１００ミクロンの低密度ポリエチレンまたはＬＬＤＰＥフィルムである請求項５および６記載の水の長期保存方法。
【発明の詳細な説明】
【技術分野】
【０００１】
本発明は、塩素剤から塩素放出速度を制御して塩素を徐放する塩素徐放具を用いて水、特に飲用に適した水を長期間保存する方法に関する。
【背景技術】
【０００２】
地震などの大災害が発生したとき、上水道の復旧までの間飲料水などの水を如何にして調達するかは極めて重要な問題である。その対策の一つとして各家庭等での水の備蓄が推奨されているが、ポリタンク等を用いて水道水を保存しようとすると、水道水中の残留塩素が速やかに消失するため、少なくとも１週間毎に水を更新する必要があるとされている。
【０００３】
このため災害時対策用の飲料水貯蔵容器としてのポリタンクの付属品である注水筒を銀担持ゼオライト等の抗菌剤を含有した樹脂で形成し、保存期間中に飲料水中に浸しておくことにより飲料水の腐敗を防止する方法（特開平９−５８６９４）が提案されているが、確実な消毒効果は期待出来ない。また災害時における非常用飲料水の容器に、高度さらし粉等の飲料水用固体殺菌剤を密封して付属させ、災害時に開封して添加混合する提案（特開２０００−２６４３７６）があるが、災害発生時に消毒操作を行う必要があって煩雑であり、また災害発生時まで殺菌剤なしで水を長期保存することにより、水が著しく汚染されてしまう問題もある。
【０００４】
本発明者は特願２００５−３３３１８２において、塩素を放出し得る塩素剤から、ガス透過性フィルムを透して塩素を放出せしめることにより、塩素の放出を制御することに成功し、塩素剤を収めた容器の少なくとも一部がガス透過性を有するフィルムから構成されていることを特徴とする塩素徐放具を開発した。この塩素徐放具を水道水の長期保存に用いることを試みたところ、水中の塩素濃度を長期にわたって適度な濃度に保つのが難しい場合のあることがわかった。すなわち水中の塩素濃度が高くなり過ぎないようにすると、はじめの１〜２ヶ月の塩素濃度が低くなり過ぎ、逆に初期の塩素濃度を適度にしようとすると後で塩素濃度が過大となり、制御が困難なのである。水道水を長期間飲用に適する状態で保存しようとするとき、水中の塩素濃度が低すぎると微生物が増殖するおそれがある。一方塩素濃度が高すぎると飲料水として安全上問題がある。したがって水道水の残留塩素の消失分を補充し、さらに長期保存中の塩素の消失分を補充して、水中の塩素濃度を長期にわたって適度な範囲に保つための改良が必要となった。
【０００５】
【特許文献１】特開平９−５８６９４号公報
【特許文献２】特開２０００−２６４３７６号公報
【特許文献３】特願２００５−３３３１８２号
【発明の開示】
【発明が解決しようとする課題】
【０００６】
ここにおいて、本発明は上述した事情を背景にして為されたものであって、その解決課題とするところは、ポリタンク等で水を長期保存する場合に塩素徐放具を用いて水中の塩素濃度を長期にわたって適度に保ちうる改良法を提供することにある。
【課題を解決するための手段】
【０００７】
本発明にあっては上記課題を解決するため種々検討した結果、塩化カルシウム量の異なる２種以上の塩素徐放具を併用することにより長期にわたって容易に水中の塩素濃度を希望する範囲に調節することに成功した。
【０００８】
すなわち本発明は 少なくとも一部がガス透過性を有する無孔フィルムから構成されている容器に塩化カルシウムと高度さらし粉またはさらし粉を共存させた塩素徐放具であって、塩化カルシウムの含有量ａ（ｇ）が１≦ａ≦２０である徐放具Ａと、塩化カルシウムの含有量ｂ（ｇ）が０．０５≦ｂ≦１．５（ここでａ＞ｂである）である徐放具Ｂとをそれぞれ１種以上組み合わせて水中に浸漬することを特徴とする水の長期保存方法をその要旨とする。
【０００９】
また本発明は、少なくとも一部がガス透過性を有する無孔フィルムから構成されている容器に塩化カルシウムを共存せしめない高度さらし粉またはさらし粉を収容する塩素徐放具Ｃを一つ以上併用して、塩素徐放具Ａ及びＢとともに水中に浸漬することを要旨とする水の長期保存方法を含む。
【発明の効果】
【００１０】
本発明の方法により、ポリタンク等で水道水等を保存する場合、長期にわたって水中の塩素濃度を適度な範囲に調節することが容易となった。また本発明で用いる塩素徐放具は簡単で安価なため、一般家庭においても災害用として大量の水道水を長期に保存することが容易になった。
【発明を実施するための最良の形態】
【００１１】
本発明は塩化カルシウムの量が多い塩素徐放具Ａと塩化カルシウムの量が少ない塩素徐放具Ｂを併用する。塩素徐放具Ａは長期にわたって塩素を放出する役割をにない、塩素徐放具Ｂは初期のみ塩素を放出する役割をになう。塩素徐放具Ａは高度さらし粉またはさらし粉にａ（ｇ）の塩化カルシウムを共存せしめ、これを少なくとも一部がガス透過性を有する無孔フィルムから構成された容器に収める。塩化カルシウムの量ａは1ｇ〜２０ｇとする。ａが１ｇより少ないと長期にわたって塩素を放出することができない。好ましくは１．５ｇ以上である。塩化カルシウムの量が多いと塩素の放出は水中に長期間浸漬しても低下することが少なく、ａの上限は特にないが、実質的に２０ｇ以上は不必要である。
【００１２】
塩素徐放具Ａに用いる高度さらし粉またはさらし粉の量は水を保存するタンクの大きさ、目標とする水中の塩素濃度などにより異なる。高度さらし粉またはさらし粉の量が多いと塩素放出量は増大する。通常保存する水１リットルに対して高度さらし粉またはさらし粉を０．００４ｇ〜０．０４ｇの比率で用いるのが適当である。さらに好ましくは０．０５ｇ〜０．０３ｇである。高度さらし粉またはさらし粉の量が水１リットルあたり０．００４ｇより少ないと微生物の繁殖を抑制するに十分な塩素を放出することが出来ない。また０．０４ｇより多いと塩素の放出が過大となり、飲用上安全な塩素濃度を超えるおそれがある。
【００１３】
塩素徐放具Ｂは高度さらし粉またはさらし粉にｂ（ｇ）の塩化カルシウムを共存せしめ、これを少なくとも一部がガス透過性を有する無孔フィルムから構成された容器に収容する。塩化カルシウム量ｂは０．０５ｇ〜１．５ｇとする。塩素徐放具Ｂの塩化カルシウム量ｂは塩素徐放具Ａの塩化カルシウム量ａより少ない必要がある。塩素徐放具Ｂの塩化カルシウム量は好ましくは０．０８ｇ〜１ｇであり、さらに好ましくは０．１ｇ〜０．８ｇである。塩素徐放具Ｂを水に浸漬しておくと塩素放出量は経時的に低下し、一定時間後には塩素放出量は実質的にゼロとなる。塩化カルシウム量ｂが０．０５ｇより少ないと水浸漬時の塩素放出の低下が急激過ぎて塩素濃度維持が困難となる。また１．５ｇより多いと水浸漬時の経時的塩素放出の低下が緩やか過ぎ、水中の塩素濃度が過大となるおそれが大きくなる。
【００１４】
塩素徐放具Ｂにおいては用いる高度さらし粉またはさらし粉の量は塩素徐放具Ａの場合と異なり塩素放出量に僅かしか影響しない。通常は０．０５ｇ〜０．８ｇ、好ましくは０．１ｇ〜０．５ｇを用いればよい。高度さらし粉またはさらし粉の量が０．０５ｇより少ないと初期の塩素放出量が不足する。一方０．８ｇより多くしても塩素放出量はほとんど変わらない。
【００１５】
塩素徐放具ＡおよびＢに用いるガス透過性を有する無孔フィルムとしては、市販されているガス透過性のあるプラスチックフィルムを用いればよい。ガス透過性の特に高いフィルムを用いる必要はなく、いわゆるガスバリヤー性フィルム以外のフィルムであればよい。例えばＯＰＰ（二軸延伸ポリプロピレンフィルム）、ＣＰＰ（Ｔダイキャスト法で作られた無延伸ポリプロピレンフィルム）、ＬＬＤＰＥ（直鎖状低密度ポリエチレンフィルム）、高密度ポリエチレンフィルム、ポリエチレンテレフタレートフィルム、ナイロンフィルム、エチレン・酢酸ビニル共重合体フィルム、ポリメチルペンテンー１フィルム、ポリエチレン・ポリエチレンテレフタレートラミネートフィルム、ポリメチルペンテンー１・ポリエチレンラミネートフィルム等が用いられる。一方、ＭＸＤナイロンフィルム、ポリ塩化ビニリデン系フィルムおよびポリアクリロニトリル系フィルムのようなガスバリヤー性フィルムは塩素を実質的に透過しないため用いることは出来ない。
【００１６】
上記フィルムの中で特に好ましいのはＯＰＰフィルム、ＣＰＰフィルム、低密度ポリエチレンフィルム、ＬＬＤＰＥフィルム、エチレン・酢酸ビニル共重合フィルム等であり、この中でもＬＬＤＰＥフィルムが特に好ましい。
【００１７】
塩素徐放具ＡおよびＢの容器としては少なくとも一部が上記ガス透過性フィルムで構成されているものを用いる。最も簡単な形状としてはフィルムをヒートシールして作製した小袋に高度さらし粉またはさらし粉と塩化カルシウムを入れ、ヒ−トシールして密封したものが用いられる。
【００１８】
塩素徐放具Ａに用いるガス透過性を有する無孔フィルムの厚さはＬＬＤＰＥフィルムで２５〜２００ミクロンが望ましい。特に好ましくは４０〜１５０ミクロンである。フィルムの厚さが厚くなると薄い場合と比べて塩素の放出がゆるやかになる傾向があるので厚めのフィルムを塩素の放出量のコントロールに利用することが可能である。塩素徐放具Ｂに用いるガス透過性を有する無孔フィルムの厚さはＬＬＤＰＥフィルムの場合３０〜１５０ミクロンが望ましく、特に好ましくは３５〜８０ミクロンである。塩素徐放具Ｂの場合ガス透過性を有するフィルムの厚さが薄過ぎると水に浸漬したときの塩素放出量の経時的低下が急激過ぎて好ましくない。また厚すぎると塩素放出量の経時的低下が緩やか過ぎることになる。薄いフィルムを使用する場合は好適な塩化カルシウム量が本発明の範囲内で多い方に移行する。
【００１９】
ポリタンクのような容器を用いて水道水のような水を保存するとき、水道水の残留塩素は速やかに消失する。そこで水道水に塩素徐放具を入れ密栓しておくと、塩素徐放具から水中に塩素が補給される。このとき塩素徐放具からの塩素補給が水道水の残留塩素の消失量と同じであれば塩素濃度は一定に保たれる。水道水の残留塩素が充分でない場合にはやや多目の塩素が塩素徐放具から補給されることが好ましい。塩素の消失量は一般に水貯蔵開始の初期に多く、その後消失が遅くなる傾向がある。このため塩素徐放具を用いたとき、初期には水中の塩素濃度が低くなりすぎる傾向となる。初期の塩素濃度を保つために塩素放出量の多い塩素徐放具を用いると、初期には適度な塩素濃度を保ってもその後塩素濃度が過大になるという問題がおこる。
【００２０】
本発明においてはポリタンクのような容器に水道水を満たし塩素徐放具ＡおよびＢを入れ密栓する。水道水に含まれている塩素は消失して行くが、塩素徐放具ＡおよびＢの両方から塩素が補給されるため水中の塩素濃度を初期から所定の濃度に保つことが可能となる。塩素徐放具Ｂの塩素放出は経時的に減少し、塩素徐放具Ａからの塩素の放出が始まる頃には実質的に塩素の放出は停止される。一方塩素徐放具Ａからは適度な塩素放出が継続されるため、水中の塩素濃度は初期から後期まで過小にも過大にもなることなく維持される。
【００２１】
水を保存する容器の大きさその他の条件によっては塩素徐放具ＡおよびＢは夫々複数用いることも可能である。また場合により塩化カルシウム量の異なる複数の塩素徐放具Ｂを用いることも可能である 。
【００２２】
本発明においては前記塩素徐放具ＡおよびＢに加えて、少なくとも一部がガス透過性を有する無孔フィルムから構成される容器に塩化カルシウムを共存せしめない高度さらし粉またはさらし粉を収納した塩素徐放具Ｃを、少なくとも１個併用することにより一段と長期間の水の保存を可能とする。
【００２３】
塩素徐放具Ｃにおいては水中に浸漬すると初期には殆ど塩素を放出しないかまたは若干の塩素を放出しても短時間で放出を停止する。その後高度さらし粉またはさらし粉の量に応じ、数日乃至数ヶ月後に塩素の放出を再開することがわかった。この原因は不明であるがフィルムを透して侵入した水蒸気が凝縮して高度さらし粉またはさらし粉を溶解することに関係すると思われる。したがって塩素の放出が開始されるまでの時間は、高度さらし粉またはさらし粉の量が少ないほど早く、多いほど遅い。
【００２４】
水の保存が１０ヶ月以上の長期にわたる場合、塩素徐放具ＡおよびＢを併用してもなお保存終盤に水中の塩素濃度が若干低下する場合がある。前記塩素徐放具Ｃをさらに併用することにより、このような後期の塩素濃度低下を防ぐことが可能となる。塩素徐放具Ｃにおいては、高度さらし粉またはさらし粉の量を０．０５ｇ〜１．５ｇとするのが好ましい。高度さらし粉またはさらし粉の量が０．０５ｇより少ないと塩素の放出の遅延がおこらない。また１．５ｇより多いと塩素の放出が困難となる。特に好ましい量は０．１ｇ〜１．０ｇである。
【００２５】
塩素徐放具Ｃにおいては、用いるＬＬＤＰＥフィルムの厚さは２５〜１００ミクロンが好ましい。ＬＬＤＰＥフィルムの厚さが２５ミクロンより薄いと塩素放出の遅延効果が不十分となる。また１００ミクロンより厚いと塩素放出開始が過度に遅延される。好ましくは３０〜８０ミクロンである。
【００２６】
こうして塩素徐放具ＡおよびＢとさらに塩素徐放具Ｃを併用することにより、一層長期間の水の保存が可能となる。
【００２７】
本発明は簡単で安価な塩素徐放具を組み合わせて用いることにより、水道水を飲料水として容易に長期間保存可能としたものである。以下本発明をより具体的に明らかにするために、本発明のいくつかの実施例を示しながら説明する。
【００２８】
（実験例１および２）
実験例１および２は塩化カルシウムを共存せしめた高度さらし粉をＬＬＤＰＥフィルムの袋に収めた塩素徐放具において、塩化カルシウム量が塩素放出量に及ぼす影響について調べた実験である。
【００２９】
高度さらし粉顆粒（（南海化学工業（株）製  クリヤー顆粒、有効塩素７４％））０．２ｇおよび０．５ｇに夫々粒状塩化カルシウム（（株）トクヤマ製）０．２ｇ、０．５ｇおよび２．０ｇを加え、ＬＬＤＰＥフィルム（ＬＬ−ＸＭＴＮフィルム、二村化学工業（株）製）の５ｃｍ×３ｃｍの小袋に収めてヒートシールした。実験例１においては４０ミクロン、実験例２においては厚さ１２０ミクロンのフィルムを用いた。１００ｍｌのバイアル瓶に水道水を満たし、前記作成した塩素徐放具を１個づつ入れ密栓した。これを３０℃の恒温器中に置き、３日毎に水中の塩素濃度を測定し、測定後液を更新した。実験例１の結果を表１に、実験例２の結果を表２に示した。これらの実験から塩化カルシウム２．０ｇの場合は塩素放出量の経時変化は少ないが、塩化カルシウム量０．５ｇおよび０．２ｇにおいては経時的に塩素放出が減少することがわかった。
【００３０】
【表１】
2008000669.tif 000002
【００３１】
【表２】
2008000669.tif 000003
【００３２】
（比較実験例１−塩素徐放具Ａのみ使用した場合−）
実験例１と同様にして高度さらし粉顆粒０．２ｇおよび粒状塩化カルシウム４．０ｇを６０ミクロンのＬＬＤＰＥフィルムの袋に収めヒートシ−ルした。高密度ポリエチレンの２０リットルのポリタンクに水道水を満たし、前記作成した塩素徐放具１個を入れ、密栓した。水を交換することなく室内に置き、定期的に水中の塩素濃度を測定した。結果を表３に示した。５０日まで塩素濃度は微生物の増殖を完全に抑えるには低すぎる水準にあり、７０日以降は適度な水準となった。
【００３３】
【表３】
2008000669.tif 000004
【００３４】
（比較実験例２−塩素徐放具Ｂのみ使用した場合−）
高度さらし粉の量を０．５ｇとした以外は比較実験例１と同様にして作成した塩素徐放具を、比較実験例１と同様の水道水を満たしたポリタンクに入れ、同様にして水中の塩素濃度の経時変化をしらべた結果を表４に示した。５０日以降、水中の塩素濃度は飲用に適さない水準まで上昇した。
【００３５】
【表４】
2008000669.tif 000005
【００３６】
（比較実験例３−塩素徐放具Ａのみ使用した場合−）
比較実験例１と同様の塩素徐放具２個を比較実験例１と同様のポリタンクに入れ、同様にして水中の塩素濃度の経時変化をしらべた。結果を表５に示した。３０日までは塩素濃度は適度な水準にあったが、５０日以降は飲用に適さない水準まで上昇した。
【００３７】
【表５】
2008000669.tif 000006
【００３８】
（比較実験例４−塩素徐放具Ｂのみ使用した場合−）
実験例１と同様の高度さらし粉顆粒０．２ｇおよび粒状塩化カルシウム０．２ｇを実験例１と同様の４０ミクロンＬＬＤＰＥフィルムの袋に収め、ヒートシールした。比較実験例１と同様の２０リットルポリタンクに水道水を満たし、前記作成した塩素徐放具２個を入れて密栓した。比較実験例１と同様にして水中の塩素濃度を測定した結果を表６に示した。３０日まで適度な塩素濃度が維持されたがその後濃度は低下し、長期間の水の保存は困難であった。
【００３９】
【表６】
2008000669.tif 000007
【実施例１】
【００４０】
実験例１と同様の高度さらし粉顆粒０．２ｇと粒状塩化カルシウム４．０ｇを実験例１と同様の６０ミクロンのＬＬＤＰＥフィルムの小袋に収めてヒートシールし、塩素徐放具Ａとした。また実験例１と同様の高度さらし粉顆粒０．２ｇと粒状塩化カルシウム０．２ｇを実験例１と同様の４０ミクロンのＬＬＤＰＥフィルムの小袋に収めてヒートシールし塩素徐放具Ｂとした。塩素徐放具ＡおよびＢを夫々１個づつ比較実験例１と同様の水道水を満たした２０リットルのポリタンクに入れ密栓した。比較実験例１と同様にして水中の塩素濃度の経時変化を測定した結果を表７に示した。塩素濃度は初期から適度な数値を示し、７０日以降も過度に上昇することなく、水の長期保存が可能なことがわかった。
【００４１】
【表７】
2008000669.tif 000008
【実施例２】
【００４２】
実験例１と同様の高度さらし粉顆粒０．１ｇと粒状塩化カルシウム４．０ｇを実験例１と同様の６０ミクロンのＬＬＤＰＥフィルムの小袋に収め、ヒートシールして塩素徐放具Ａとした。また実験例１と同様の高度さらし粉顆粒０．１ｇと粒状塩化カルシウム０．２ｇを実験例１と同様の４０ミクロンのＬＬＤＰＥフィルムの小袋に収めてヒートシールし塩素徐放具Ｂとした。これらの塩素徐放具ＡおよびＢを夫々1個づつ水道水を満たした高密度ポリエチレンの１０リットルのリタンクに入れ密栓した。比較実験例１と同様にして水中の塩素濃度の経時変化を測定した結果を表８に示した。塩素濃度は初期から適度な数値を示し、７０日以降も過度に上昇することなく、水の長期保存が可能であった。
【００４３】
【表８】
2008000669.tif 000009
【実施例３】
【００４４】
実験例１と同様の高度さらし粉顆粒０．１５ｇと粒状塩化カルシウム３．０ｇを実験例１と同様の６０ミクロンのＬＬＤＰＥフィルムの小袋に収めてヒートシールし、塩素徐放具Ａとした。また実験例１と同様の高度さらし粉顆粒０．２ｇと粒状塩化カルシウム０．５ｇを実験例１と同様の４０ミクロンのＬＬＤＰＥフィルムの小袋に収めてヒートシールし塩素徐放具Ｂとした。塩素徐放具ＡおよびＢを夫々1個づつ比較実験例１と同様の水道水を満たした２０リットルのポリタンクに入れ密栓した。比較実験例１と同様にして水中の塩素濃度の経時変化を測定した。結果を表９に示した。水中の塩素濃度は１５０日にわたって適度で安定した濃度を保った。
【００４５】
【表９】
2008000669.tif 000010
【実施例４】
【００４６】
実験例１と同様の高度さらし粉顆粒０．２ｇと粒状塩化カルシウム７．０ｇを実験例１と同様の８０ミクロンのＬＬＤＰＥフィルムの小袋に収めてヒートシールし、塩素徐放具Ａとした。また実験例１と同様の高度さらし粉顆粒０．３ｇと粒状塩化カルシウム０．２ｇを実験例１と同様の６０ミクロンのＬＬＤＰＥフィルムの小袋に収めてヒートシールし塩素徐放具Ｂとした。塩素徐放具ＡおよびＢを夫々1個づつ比較実験例１と同様の水道水を満たした２０リットルのポリタンクに入れ密栓した。比較実験例１と同様にして水中の塩素濃度の経時変化を測定した。結果を表１０に示した。水中の塩素濃度は１７０日にわたって適度で安定した濃度を保った。
【００４７】
【表１０】
2008000669.tif 000011
【００４８】
（実験例３−塩素徐放具Ｃのみ使用した場合−）
実験例１と同様の高度さらし粉顆粒の０．１ｇ、０．３ｇおよび０．５ｇを夫々４０ミクロンの実験例１と同様のＬＬＤＰＥフィルムの小袋に収めてヒートシールした。実験例１と同様にして夫々を水道水を満たした１００ｍｌのバイアル瓶に入れて密栓した。実験例１と同様にして３日毎に水中の塩素濃度を測定し、測定後液を更新した。測定結果を表９に示した。高度さらし粉０．１ｇにおいては約３０日後、０．３ｇにおいては約３９日後、０．５ｇにおいては約６０日後に塩素の放出が始まることがわかった。
【００４９】
【表１１】
2008000669.tif 000012
【実施例５】
【００５０】
実験例１と同様の高度さらし粉顆粒０．２ｇと粒状塩化カルシウム８．０ｇを実験例１と同様の１００ミクロンのＬＬＤＰＥフィルムの小袋に収めてヒートシールし、塩素徐放具Ａとした。また実験例１と同様の高度さらし粉顆粒０．２ｇと粒状塩化カルシウム０．４ｇを実験例１と同様の６０ミクロンのＬＬＤＰＥフィルムの小袋に収めてヒートシールし塩素徐放具Ｂとした。次に実験例１と同様の高度さらし粉顆粒０．５ｇを実験例１と同様の６０ミクロンのＬＬＤＰＥフィルムに収めてヒ−トシールし、塩素徐放具Ｃとした。塩素徐放具Ａ、Ｂ、Ｃを夫々１個、比較実験例１と同様の水道水を満たした２０リットルのポリタンクに入れ密栓した。比較実験例１と同様にして水中の塩素濃度の経時変化を測定した。結果を表１２に示した。水中の塩素濃度は３２０日にわたって適度で安定した濃度を示した。
【００５１】
【表１２】
2008000669.tif 000013